(57)【要約】    【課題】熱交換器を安定的に固定することができ、かつ筐体の強度を確保することが可能な空気調和機の室外機を提供すること。    【解決手段】箱形の筐体の左右側面と背面に空気吸込口を設け、上面に空気吹出口を設け、前記空気吸込口の内側に熱交換器を配置し、前記空気吹出口の内側に送風ファンを配置し、正面に電装品箱を収容して正面パネルを設けてなる空気調和機の室外機において、前記筐体を構成する正面側左右の支柱に対して熱交換器の端部がそれぞれ当接する構造であって、前記正面側左右の支柱にはそれぞれ端部に縁部が設けられており、熱交換器の端部には側板が設けられ、この側板の端には支柱に当接するように延出させた延出部が設けられており、支柱の縁部と熱交換器の延出部とを当接させて結合固定する。【選択図】図８
2009085467.tif 000002
【特許請求の範囲】
【請求項１】
箱形の筐体の左右側面と背面に空気吸込口を設け、上面に空気吹出口を設け、前記空気吸込口の内側に熱交換器を配置し、前記空気吹出口の内側に送風ファンを配置し、正面に電装品箱を収容して正面パネルを設けてなる空気調和機の室外機において、前記筐体を構成する正面側左右の支柱に対して熱交換器の端部がそれぞれ当接する構造であって、当該当接する部分において、熱交換器の端部と支柱とをそれぞれ結合するようにしたことを特徴とする空気調和機の室外機。
【請求項２】
前記正面側左右の支柱のうち少なくとも一方の支柱において、支柱の一端よりも内側まで熱交換器を延長させ、当該支柱の他端において熱交換器の端部と支柱とを結合するようにし、当該支柱には空気を吸い込むための吸込窓を設けたことを特徴とする請求項１記載の空気調和機の室外機。
【請求項３】
前記正面側左右の支柱にはそれぞれ端部に縁部が設けられており、熱交換器の端部には側板が設けられ、この側板の端には支柱に当接するように延出させた延出部が設けられており、支柱の縁部と熱交換器の延出部とを当接させて結合固定することを特徴とする請求項１又は２記載の空気調和機の室外機。
【請求項４】
前記正面側左右の支柱それぞれにおいて、熱交換器の端部の外周面と支柱とを当接させて結合固定し、かつ、熱交換器の端部の内周面と支柱とについても上下方向の複数個所において結合固定するようにしたことを特徴とする請求項１乃至３記載の空気調和機の室外機。
【発明の詳細な説明】
【技術分野】
【０００１】
本発明は、ビル等において用いられる大型空気調和機の室外機に関するものであり、特に、両側面及び背面に吸込口を備え、上面に吹出口を備えた筐体内に、前記吹出口に対向させて送風ファンを設け、かつ、前記吸込口に対向させて熱交換器を設けた構造からなる室外機に関するものである。
【背景技術】
【０００２】
空気調和機の室外機の構成要素としては、主に、熱交換器、圧縮機室、電装品箱、送風ファンなどが挙げられるが、これらをどのように構成するかについては、様々なものが提案されてきた。
例えば、特許文献１に記載の室外ユニットは、略直方体形状の筐体内の底面に圧縮機を配置し、この圧縮機の外側で筐体の３側面に対向するように、断面がコ字形状の熱交換器を配置した構成となっている。
また、特許文献２に記載の室外機は、略直方体形状の筐体内の一端側の底面に圧縮機を配置し、筐体の２側面に対向するように、断面がＬ字形状の熱交換器を配置した構成となっている。
【０００３】
このような室外機において、移動時に各種部品の位置にずれが生じないように、筐体に固定する必要がある。特に、熱交換器は冷媒管が通っているため、位置ずれが生じて冷媒管にずれが生じると冷媒の漏れにも繋がりかねない。このような問題を解決するため、例えば、特許文献２に記載の室外機では、熱交換器下部の側板部分及びフィンの間の複数個所に固定するためのブラケットを設け、このブラケットを筐体（ベース板）に固定する手法が提案されている。
【特許文献１】特開２００４−８５１６５号公報
【特許文献２】特開平０７−１９８１６５号公報
【発明の開示】
【発明が解決しようとする課題】
【０００４】
ところで、大型室外機においては、同一形状の熱交換器を上下２段に配置して構成する場合がある。このような室外機に対して特許文献２に記載された固定方法を適用したとしても、下側の熱交換器しか固定できず、上側の熱交換器が不安定な状態となってしまうおそれがあった。
【０００５】
また、熱交換器を上下２段に配置して構成する大型室外機は、その規模に応じて空気の吸込口を広く設ける必要があるため、筐体の開口部分の面積が大きくなり、筐体の強度が低下するおそれがある。
【０００６】
本発明は、上記問題点に鑑みなされたものであり、熱交換器を安定的に固定することができ、かつ筐体の強度を確保することが可能な空気調和機の室外機を提供することを目的とするものである。
【課題を解決するための手段】
【０００７】
本発明の請求項１は、箱形の筐体の左右側面と背面に空気吸込口を設け、上面に空気吹出口を設け、前記空気吸込口の内側に熱交換器を配置し、前記空気吹出口の内側に送風ファンを配置し、正面に電装品箱を収容して正面パネルを設けてなる空気調和機の室外機において、前記筐体を構成する正面側左右の支柱に対して熱交換器の端部がそれぞれ当接する構造であって、当該当接する部分において、熱交換器の端部と支柱とをそれぞれ結合するようにしたことを特徴とする空気調和機の室外機である。
【０００８】
本発明の請求項２は、請求項１に加えて、前記正面側左右の支柱のうち少なくとも一方の支柱において、支柱の一端よりも内側まで熱交換器を延長させ、当該支柱の他端において熱交換器の端部と支柱とを結合するようにし、当該支柱には空気を吸い込むための吸込窓を設けたことを特徴とする空気調和機の室外機である。
【０００９】
本発明の請求項３は、請求項１又は２に加えて、前記正面側左右の支柱にはそれぞれ端部に縁部が設けられており、熱交換器の端部には側板が設けられ、この側板の端には支柱に当接するように延出させた延出部が設けられており、支柱の縁部と熱交換器の延出部とを当接させて結合固定することを特徴とする空気調和機の室外機である。
【００１０】
本発明の請求項４は、請求項１乃至３に加えて、前記正面側左右の支柱それぞれにおいて、熱交換器の端部の外周面と支柱とを当接させて結合固定し、かつ、熱交換器の端部の内周面と支柱とについても上下方向の複数個所において結合固定するようにしたことを特徴とする空気調和機の室外機である。
【発明の効果】
【００１１】
請求項１記載の発明によれば、筐体を構成する正面側左右の支柱に対して熱交換器の端部がそれぞれ当接する構造であって、当該当接する部分において、熱交換器の端部と支柱とをそれぞれ結合するようにしたので、熱交換器を上下２段に配置して構成する大型室外機においても、熱交換器が筐体の支柱に固定されることで非常に安定し、室外機を移動させる場合においても上下の熱交換器がずれることがない。また、コの字状の熱交換器の両端をそれぞれ支柱に固定する構造とすることで、筐体自体の強度の補強につながるため、空気の吸込口を広く設ける構成としても、筐体の強度を確保することができる。
【００１２】
請求項２記載の発明によれば、前記正面側左右の支柱のうち少なくとも一方の支柱において、支柱の一端よりも内側まで熱交換器を延長させ、当該支柱の他端において熱交換器の端部と支柱とを結合するようにし、当該支柱には空気を吸い込むための吸込窓を設けたので、熱交換器が筐体の支柱に固定し、かつ、筐体自体の強度の補強を行うことができ、さらに、支柱部分からも空気の吸い込みが可能になるため、同一サイズにおける熱交換器の性能向上を実現できる。
【００１３】
請求項３記載の発明によれば、支柱の縁部と熱交換器の延出部とを当接させて結合固定するようにしたので、支柱と熱交換器の間から空気が流入するのを遮断することができ、これにより、熱交換器に流入する空気は、必ず吸込口又は吸込窓から流入して熱交換器を経て内部に入り、他の流入経路からは空気が入らないように構成することができ、熱交換器の性能向上に繋がる。
【００１４】
請求項４記載の発明によれば、前記正面側左右の支柱それぞれにおいて、熱交換器の端部の外周面と支柱とを当接させて結合固定し、かつ、熱交換器の端部の内周面と支柱とについても上下方向の複数個所において結合固定するようにしたので、より安定的に熱交換器を固定することができ、より一層の筐体強度の確保にもつながる。
【発明を実施するための最良の形態】
【００１５】
本発明による空気調和機の室外機は、箱形の筐体の左右側面と背面に空気吸込口を設け、上面に空気吹出口を設け、前記空気吸込口の内側に熱交換器を配置し、前記空気吹出口の内側に送風ファンを配置し、正面に電装品箱を収容して正面パネルを設けてなる空気調和機の室外機において、前記筐体を構成する正面側左右の支柱に対して熱交換器の端部がそれぞれ当接する構造であって、前記正面側左右の支柱にはそれぞれ端部に縁部が設けられており、熱交換器の端部には側板が設けられ、この側板の端には支柱に当接するように延出させた延出部が設けられており、支柱の縁部と熱交換器の延出部とを当接させて結合固定することを特徴とするものである。
【実施例】
【００１６】
本発明の実施の形態を図面に基づいて説明する。図１及び図２に示すのは、本発明による室外機１０を表した斜視図である。図１及び図２に示すように、本発明の室外機１０は、略直方体形状の筐体１１からなり、両側面と背面に吸込口１２が設けられ、上面には送風ファン１３が設けられており、正面は上側カバー１４と下側カバー１５とで覆われている。筐体１１の内部には、前記吸込口１２に対向させて上から下まで熱交換器１６が配置され、前記下側カバー１５の内側で熱交換器１６の内側には圧縮機等を設置した圧縮機室１７が設けられている。筐体１１の正面及び側面の下側には、冷媒管等の配管を接続するための配管用孔１８が設けられている。
【００１７】
また、正面に設けられた前記上側カバー１４の内側には、電装品１９を収容した電装品箱２０が設けられている。この電装品箱２０は、側面方向に向かってスライド移動する構造となっている。
【００１８】
図６に示すのは、本発明の室外機１０の枠組みを表した斜視図である。この図６に示すように、本発明の室外機１０は、底板２１の上に４つの支柱２２〜２５が設けられ、上面は回り縁２６が設けられた構造となっている。このうち、正面から見て一方の角部分に設けられた支柱２２は、概略４５°の角度をもって形成されたテーパー面となっており、上から下まで吸込窓２７が設けられている。また、正面から見て他方の角部分は、電装品箱２０をスライド移動させるためのスペースが必要であるため、支柱２３を側面側に逃がした構成となっている。この支柱２３と支柱２２の間には、中桟３４が設けられており、この中桟３４に電装品箱２０の背面が接してスライドする構成となっている。
【００１９】
図７（ａ）に示すのは、本発明の室外機１０の内部に設けられる熱交換器１６の構成を表した斜視図である。熱交換器１６は多数のフィン及びチューブ（冷媒管）で構成されており、本実施例の場合、高さ方向に高い構成であるため、２つの熱交換器１６ａ、１６ｂを仕切板２８を介して重ね合わせて設置している。
この熱交換器１６は、図７（ｂ）に示すように、筐体１１の両側面及び背面に設けられた吸込口１２に対向するように横断面が概略コの字状をしており、また、概略４５°の角度をもったテーパー面として形成された支柱２２部分に対向する部分は、支柱２２と同一角度となるように屈曲させて構成されている。これにより、コンパクト化を図りながら熱交換効率の向上を同時に実現することを可能としている。
この熱交換器１６の端部には側板３５が設けてあり、この側板３５の両端は所定角度に屈曲させて延出させた延出部３６として形成してある。
【００２０】
次に、本発明の室外機１０における熱交換器１６の固定方法について説明する。熱交換器１６は、２つの熱交換器１６ａ、１６ｂを仕切板２８を介して重ね合わせた後に、図６に示す筐体に載せられる。そして、熱交換器の一方端は支柱２３に、他方端は支柱２２にそれぞれ接続される。詳しくは、図８（ａ）に示すように、熱交換器の一方端に設けられた側板３５の延出部３６が、支柱２３の端を内側に折り曲げて形成された縁部３７に当接する状態で、熱交換器１６が設置される。この状態において、延出部３６と縁部３７の複数個所に設けられたネジ穴（図示は省略）に対してネジ止めすることで支柱２３と熱交換器１６の一方端を固定する。
なお、図８（ａ）に示すように、支柱２３の縁部３７の一部を側板３５側に延出させて、この部分でネジ止めするようにしてもよい。
【００２１】
熱交換器１６の他方端は、筐体の側面から正面にかけての角部の一部をカットするように斜めに形成された支柱２２に接続されるが、このとき、熱交換器１６は支柱２２に対向するようにして斜めに延長されており、熱交換器１６の他方端に設けられた側板３５の延出部３８は、筐体の正面側に位置する支柱２２の縁部３９に当接する状態となる。この状態において、延出部３８と縁部３９の複数個所に設けられたネジ穴（図示は省略）に対してネジ止めすることで支柱２２と熱交換器１６の他方端を固定する。
【００２２】
図８（ｂ）に示すのは、以上のように構成した場合の本発明の室外機１０の横断面図である。この図８（ｂ）に示すように、正面の上側カバー１４の内側にスライド可能な電装品箱２０が設置され、この電装品箱２０を左側にスライドさせた場合に邪魔にならないように支柱２３が側面側に逃がして設けられている。また、正面から見て一方の角部分に設けられた支柱２２は、概略４５°の角度をもって形成されたテーパー面となっており、この支柱２２部分に対向する熱交換器１６の一端部分は、支柱２２と同一角度となるように屈曲させて構成されているのが分かる。
【００２３】
この図８（ｂ）から分かるように、熱交換器１６の一方端と支柱２３とを空気を遮蔽するように固定し、熱交換器１６の他方端と支柱２２とを空気を遮蔽するように固定しているため、熱交換器１６に流入する空気は、必ず吸込口１２又は支柱２２に設けた吸込窓２７から流入して熱交換器１６を経て内部に入っており、他の流入経路からは空気が入らないように構成しているため、熱交換効率の向上に繋がる。
【００２４】
なお、熱交換器１６の一方端と支柱２３との固定、及び、熱交換器１６の他方端と支柱２２との固定においては、熱交換器１６の外周面側の側板３５をネジ止めする構成としているが、さらに、熱交換器１６の内周面側の側板３５と各支柱とを複数個所で固定する構成を採用することもできる。例えば、熱交換器１６の内周面側の側板３５と支柱との間に細長い桟を上下方向の複数個所に設けてこれをネジ止め等によって固定することで、より強度が増す。
【００２５】
次に、電装品箱２０のスライド構造について、図面を用いて詳細に説明する。図３に示すのは、本発明による室外機１０における電装品箱２０の吊り下げ構造を表した斜視図である。この図３に示すように、電装品箱２０の内部には様々な電装品１９が収容され、この状態で上蓋２９がネジ止めによって固定される。この電装品箱２０の上部には垂直上方に突出した平板部３０が形成されており、この平板部３０の端部のやや内側部分には、平板部３０に対して直角の方向に折り曲がり、かつ先端が下方に屈曲した吊下げフック３１が形成されている。
【００２６】
他方、図３及び図４（ａ）に示すように、電装品箱２０が吊り下げられる筐体１１側には、前記吊下げフック３１を挿し込むための窓状のスライドレール部３２が形成されている。このスライドレール部３２に対して、図４（ｂ）に示すように、前記吊下げフック３１を挿し込んで吊り下げた状態で、電装品箱２０は筐体１１内に収容され、前記平板部３０及び筐体１１に設けられたネジ穴に対してネジ止めすることで固定される。
【００２７】
そして、工場からの出荷時に溶接やシール洩れによる冷媒のリークチェックや、修理の際にセンサー類や電磁弁のチェックを行う場合には、ネジを外した上で、電装品箱２０を左方向にスライド移動させることで、図１に示すように、正面から室外機１０の内部を観察できる隙間が生じ、前記チェック作業を行うことが可能となる。このスライド移動の際、電装品箱２０が必要以上にスライドされて不安定となることを防ぐために、スライドレール部３２の一部にストッパ３３が形成されている。
【００２８】
なお、電装品箱２０の背面下部が中桟３４に接した状態でスライド移動するようにしているが、電装品箱２０を吊下げフック３１によってのみ支える構成とすると、吊下げフック３１にのみ荷重がかかってしまので、電装品箱２０を吊下げフック３１に吊り上げた状態において、電装品箱２０の背面下部の一部分が中桟３４に設けた溝に嵌った状態でスライド移動するようにすることで、荷重を中桟３４に分散するようにしてもよい。また、電装品箱２０の下面が乗って荷重を軽減するスライド補助板（図示省略）を、圧縮機室１７の上側に設けるようにしてもよい。
【００２９】
以上のような構成により、両側面と背面に吸込口１２を設けていることにより電装品箱２０を正面側に設置する必要のある室外機においても、電装品箱２０を側面方向にスライド移動させることで、正面側に室外機１０の内部を観察できる隙間が生まれ、工場からの出荷時に溶接やシール洩れによる冷媒のリークチェックや、修理の際にセンサー類や電磁弁のチェックを行うことが可能となる。
【００３０】
また、概略４５°の角度のテーパー面として支柱２２を形成することにより、複数台の室外機を並べて設置する場合にメリットがある。図５に示すのは、２つの室外機１０ａ、１０ｂを同一方向に正面を向けて並べて設置した様子を表した上面図である。この図５に示すように、右側の室外機１０ｂの電装品箱２０をスライドさせて内部点検を行うときに、左側の室外機１０ａの角部分の支柱２２がテーパー面となっていることにより、スライドさせた電装品箱２０が接触することがない。このように、２つの室外機１０ａ、１０ｂを並べて設置する場合に、これらの間の距離を短くしても電装品箱２０のスライドに影響が出ないという効果がある。
【００３１】
前記実施例においては、支柱２２の内側まで熱交換器１６を延長させて構成し、支柱２２には吸込窓２７を設けるようにして、支柱２２部分においても空気を取り込めるように構成した。しかし、この実施例に限られるものではなく、このような構成を他方の支柱２３においても採用して、支柱２３に対しても吸込窓を設けるようにしてもよい。
【図面の簡単な説明】
【００３２】
【図１】本発明による室外機１０を表した斜視図である。
【図２】本発明による室外機１０の一部を切り欠いた状態を表した斜視図である。
【図３】本発明による室外機１０における電装品箱２０の吊り下げ構造を表した斜視図である。
【図４】（ａ）は、電装品箱２０の吊り下げ構造を表した正面図であり、（ｂ）は、Ａ−Ａ’線での断面図である。
【図５】本発明による室外機１０を複数設置した場合を表した上面図である。
【図６】本発明の室外機１０の枠組みを表した斜視図である。
【図７】本発明の室外機１０の内部に設けられる熱交換器１６の構成を表した斜視図である。
【図８】（ａ）は、熱交換器１６と支柱２３の固定部分を表した斜視図であり、（ｂ）は、本発明による室外機１０の横断面図である。
【符号の説明】
【００３３】
１０…室外機、１１…筐体、１２…吸込口、１３…送風ファン、１４…上側カバー、１５…下側カバー、１６…熱交換器、１７…圧縮機室、１８…配管用孔、１９…電装品、２０…電装品箱、２１…底板、２２〜２５…支柱、２６…回り縁、２７…吸込窓、２８…仕切板、２９…上蓋、３０…平板部、３１…吊下げフック、３２…スライドレール部、３３…ストッパ、３４…中桟、３５…側板、３６…延出部、３７…縁部、３８…延出部、３９…縁部。
【図１】
2009085467.tif 000003
【図２】
2009085467.tif 000004
【図３】
2009085467.tif 000005
【図４】
2009085467.tif 000006
【図５】
2009085467.tif 000007
【図６】
2009085467.tif 000008
【図７】
2009085467.tif 000009
【図８】
2009085467.tif 000010